(57)【要約】【課題】  基材シートの両端裏面側に粘着剤層を設けないでも、ループ状にして手荷物に取り付けることを可能にして、剥離紙を剥す手間を無くし、剥離紙を剥した後に粘着剤が他の物に付いてしまったり、剥離した剥離紙がゴミとして発生しないようにした手荷物用ＲＦＩＤタグを提供する。【解決手段】  ループ状にして手荷物に取り付けることが可能な帯状を有する基材シートと、前記基材シート上に設けられた、ベースフィルム基材上に配置されたアンテナコイルと、前記アンテナコイルに接続されたＩＣチップとからなるインレットとを有する手荷物用ＲＦＩＤタグであって、前記帯状を有する基材シートの両端近傍に、前記基材シートの長手方向に対して同一形状となるコ字状のスリットが、それぞれ形成されていることを特徴とする。【選択図】        図１
2009070310.tif 000002
【特許請求の範囲】
【請求項１】
ループ状にして手荷物に取り付けることが可能な帯状を有する基材シートと、前記基材シート上に設けられた、ベースフィルム基材上に配置されたアンテナコイルと、前記アンテナコイルに接続されたＩＣチップとからなるインレットとを有する手荷物用ＲＦＩＤタグであって、
前記帯状を有する基材シートの両端近傍に、前記基材シートの長手方向に対して同一形状となるコ字状のスリットが、それぞれ形成されていることを特徴とする手荷物用ＲＦＩＤタグ。
【請求項２】
前記基材シートには、前記コ字状のスリットの両端部間に折り畳み用ミシンが形成されていることを特徴とする請求項１記載の手荷物用ＲＦＩＤタグ。
【請求項３】
前記基材シートには、前記コ字状のスリットが３つ以上設けられていることを特徴とする請求項１記載の手荷物用ＲＦＩＤタグ。
【発明の詳細な説明】
【技術分野】
【０００１】
本発明は、ループ状にして手荷物に取り付けることが可能な帯状を有する基材シートと、前記基材シート上に設けられた、ベースフィルム基材上に配置されたアンテナコイルと、前記アンテナコイルに接続されたＩＣチップとからなるインレットとを有する手荷物用ＲＦＩＤタグに関する。
【背景技術】
【０００２】
従来、空港における搭乗者の手荷物管理として、手荷物の取っ手などにループ状に巻き付けて使用するバッゲージタグが使用されている。
これらのバッゲージタグには、予めバーコードなどの機械読取コードが表示されて、搭乗手続きなどの際に、リーダライタで機械読取コードの読み取り処理を行ったりして、手荷物情報の管理を効率的に行えるようにシステム化されている。
【０００３】
また、近年では、機械読取コードを表示する換わりに、ベースフィルム基材上に配置されたアンテナコイルと、前記アンテナコイルに接続されたＩＣチップとからなるインレットとを有するバッゲージタグ、つまり手荷物用ＲＦＩＤタグが開発され、公知となっているが、これら、従来のバッゲージタグは、ループ状にして手荷物に取り付けるために、基材シートの両端裏面側に粘着剤層が設けられ、粘着剤層の表面上に剥離紙が剥離可能に貼付されている構成を有している。（例えば、特許文献１〜３、参照）
【０００４】
【特許文献１】特開２００２−３６２７３０号
【特許文献２】特開２００３−２８８５７２号
【特許文献３】特開２００４−３１７５４４号
【０００５】
しかしながら、基材シートの両端裏面側に粘着剤層を設けた場合には、バッゲージタグを手荷物に添付させる際に、粘着剤層に剥離可能に貼付させた剥離紙を剥す手間が有り、更に、剥離紙を剥した後に粘着剤が他の物に付いてしまうこともあるという問題がある。
また、剥離した剥離紙は捨てることで、ゴミが出るという問題もある。
【発明の開示】
【発明が解決しようとする課題】
【０００６】
そこで、本発明は、上記問題を解決するために、基材シートの両端裏面側に粘着剤層を設けないでも、ループ状にして手荷物に取り付けることを可能にして、剥離紙を剥す手間を無くし、剥離紙を剥した後に粘着剤が他の物に付いてしまったり、剥離した剥離紙がゴミとして発生しないようにした手荷物用ＲＦＩＤタグを提供する。
【課題を解決するための手段】
【０００７】
本発明の手荷物用ＲＦＩＤタグは、ループ状にして手荷物に取り付けることが可能な帯状を有する基材シートと、前記基材シート上に設けられた、ベースフィルム基材上に配置されたアンテナコイルと、前記アンテナコイルに接続されたＩＣチップとからなるインレットとを有する手荷物用ＲＦＩＤタグであって、前記帯状を有する基材シートの両端近傍に、前記基材シートの長手方向に対して同一形状となるコ字状のスリットが、それぞれ形成されていることを特徴とする。
【０００８】
また、本発明の手荷物用ＲＦＩＤタグは、前記基材シートには、前記コ字状のスリットの両端部間に折り畳み用ミシンが形成されていることを特徴とする。
【０００９】
更に、本発明の手荷物用ＲＦＩＤタグは、前記基材シートには、前記コ字状のスリットが３つ以上設けられていることを特徴とする。
【発明の効果】
【００１０】
本発明の手荷物用ＲＦＩＤタグは、基材シートをループ状にして手荷物に取り付ける際に、基材シートに形成されたコ字状のスリットの部分を重ね合わせて、押し曲げることで手荷物に取り付けられるので、剥離紙を剥す手間もなく、粘着剤が他の物に付いてしまうこともなく、更にゴミが出ないという効果がある。
【００１１】
また、本発明の手荷物用ＲＦＩＤタグは、基材シートのコ字状スリットの両端部間に折り畳み用ミシンが形成されているので、簡単に基材シートに形成されたコ字状のスリットの部分を重ね合わせ、押し曲げて手荷物に取り付けられるという効果がある。
【００１２】
更に、本発明の手荷物用ＲＦＩＤタグは、基材シートにコ字状のスリットが３つ以上設けられていることで、重ね合わせて押し曲げるコ字状のスリットを選択することで、ループ状にした場合のループの大きさを小さくすることができ、取り付ける手荷物部分の大きさに応じて適宜対応することができるという効果がある。
【発明を実施するための最良の形態】
【００１３】
以下、本発明の実施形態に係る手荷物用ＲＦＩＤタグを、図面に基づいて詳細に説明する。
図１には、実施形態に係る手荷物用ＲＦＩＤタグ１の斜視図、図２には、図１のＡ−Ａ線断面図が示されている。
手荷物用ＲＦＩＤタグ１は、手荷物の取っ手などに一時的に取り付ける際に、ループ状にして垂れ下げることが可能な寸法からなる帯状を有する基材シート２と、この基材シート２上に、ベースフィルム基材５上に配置されたアンテナコイル４と、前記アンテナコイル４に接続されたＩＣチップ３とからなるインレット６とを有し、インレット６が接着剤７により貼付された構成を有している。
例えば、基材シート２の長さ寸法は、運用上、約２０〜４０ｃｍ程度が好ましい。
【００１４】
そして、帯状を有する基材シート２の両端近傍に、基材シート２の長手方向に対して同一形状となるコ字状のスリット８ａ，８ｂが、それぞれ形成されている。
このコ字状のスリット８ａ，８ｂは、帯状を有する基材シート２をループ状にして重ね合わせた場合に、重なり合う状態となるように、基材シート２の長手方向に対して同一形状で形成されている。
また、帯状を有する基材シート２の両端近傍に形成されたコ字状のスリットの両端部間には、それぞれ折り畳み用ミシン９ａ，９ｂが形成されている。
【００１５】
この折り畳み用ミシン９ａ，９ｂが形成されていることにより、重ね合わせた基材シート２のコ字状のスリット８ａと折り畳み用ミシン９ａとで囲まれた折り曲げ用部分２ａと、コ字状のスリット８ｂと折り畳み用ミシン９ｂとで囲まれた折り曲げ用部分２ｂとを、同時にコ字状のスリット８ａ，８ｂから簡単に確実に押し出されて、折り曲げた状態にすることができるようになっている。
【００１６】
図３には、手荷物用ＲＦＩＤタグ１を、手荷物の取っ手などに一時的に取り付ける際の手順が示されている。
まず、図３（ａ）に示すように、帯状を有する基材シート２の両端部分をつき合せるように持ってきた後に、図３（ｂ）に示すように、帯状を有する基材シート２の両端近傍に形成されたコ字状のスリット８ａ，８ｂが完全に重なり合う状態にする。
そして、利用者が指で、コ字状のスリット８ａ，８ｂの部分を一方側から押し込むことで、図３（ｃ）に示すように、コ字状のスリット８ａ，８ｂの部分が一方側に押し出されて、折り畳まれた状態とする。
【００１７】
図４には、図３（ｃ）に示したコ字状のスリット８ａ，８ｂの部分が上方側に押し出されて、折り畳まれた状態とした場合の断面図が示されている。
折り畳み用ミシン９ａ，９ｂから上方側に押し出されて、折り畳まれることで、折り曲げ用部分２ａの上側に折り曲げ用部分２ｂが重ねられて、帯状を有する基材シート２の両端部分が連結状態となり、帯状を有する基材シート２をループ状にして手荷物の取っ手などに添付させることができるようになっている。
【００１８】
また、図５には、手荷物１１の取っ手１２に、帯状を有する基材シート２をループ状にして一時的に取り付けた状態が示されている。
手荷物１１の取っ手１２にループ状にして取り付けられた場合には、手荷物１１が空港内のベルトコンベアで搬送される際に、所定に場所に備えられたタグリーダから送信された電波を、手荷物用ＲＦＩＤタグ１に備えられたアンテナコイル４が受信し、ＩＣチップ３へのデータの書き込み処理や、ＩＣチップ３のメモリに記憶されたデータの読み取り処理を行うことができるようにしてある。
【００１９】
また、手荷物用ＲＦＩＤタグ１の使用が終了した場合には、手荷物１１の所有者などが、ループ状にして取り付けられている基材シート２を握って、強く引っ張ることで、手荷物１１の取っ手１２から手荷物用ＲＦＩＤタグ１を取り外すことができる。
【００２０】
以上のように、本発明の実施形態に係る手荷物用ＲＦＩＤタグ１は、基材シート２に粘着剤が使用されていないので、基材シート２を手荷物１１の取っ手１２などにループ状にして取り付ける際に、粘着剤が他の物に付着したり、また不正確な位置に貼り付けてしまう事後を防ぐことができる。
【００２１】
また、他の実施形態として、図６に示すように、手荷物用ＲＦＩＤタグ１の基材シート２に、コ字状のスリットを３つ以上設けるようにしてもよい。
図６に示した手荷物用ＲＦＩＤタグ１では、基材シート２に４つのコ字状のスリット８ａ，８ｂ，８ｃ，８ｄと、４つの折り畳み用ミシン９ａ，９ｂ，９ｃ，９ｄとが形成されて、４つの折り曲げ用部分２ａ，２ｂ，２ｃ，２ｄが設けられている。
【００２２】
この場合には、１つの折り曲げ用部分２ａに対して、３つの折り曲げ用部分２ｂ，２ｃ，２ｄのいずれか１つを利用者が選択して、折り曲げ用部分２ａに重ね合わせることで、帯状を有する基材シート２をループ状にした場合の円弧周縁サイズを調整して、手荷物用ＲＦＩＤタグ１を取り付ける手荷物の取っ手などの大きさに応じ、適切なサイズのループを形成させて、たるみの少ない状態で取り付けられるようにしてある。
【００２３】
また、図７に示すように、本発明の手荷物用ＲＦＩＤタグ１について、表面保護部材をインレット上に設けるようにしてもよい。
図９に示す場合には、インレット６のＩＣチップ３が設けられている部分を除き、その他の部分について、左右にそれぞれ表面保護部材１３ａと表面保護部材１３ｂとが貼付されている。
インレット６のＩＣチップ３が設けられている部分を除き、インレット６上に表面保護部材１３ａと表面保護部材１３ｂとを貼付することで、表面保護部材１３ａと表面保護部材１３ｂとの間の部分に溝１４が形成される。
これにより、ＩＣチップ３に厚みがあっても、溝の深さ分だけＩＣチップ３が表面側に出っ張る部分が少なくなることで、他の物体に衝突した際に外力による衝撃を緩和できるという効果がある。
図示していないが、インレット６の全面を被覆する状態で表面保護部材を貼付するようにしてもよい。
【００２４】
また、図８に示すように、本発明の手荷物用ＲＦＩＤタグ１の帯状を有する基材シート２の両端近傍に、それぞれ形成した折り曲げ用部分２ａ，２ｅを、反対方向になるようにコ字状のスリット８ａ，８ｅを設けて、折り畳み用ミシン９ａ，９ｅも形成してもよい。
この場合には、手荷物用ＲＦＩＤタグ１を手荷物に添付させる際に、帯状を有する基材シート２の同一面同士を合わせる状態にして、折り曲げ用部分２ａ，２ｅを押し込んで、折り曲げた状態にして添付させる。
【図面の簡単な説明】
【００２５】
【図１】本発明の実施形態に係る手荷物用ＲＦＩＤタグの斜視図である。
【図２】図１のＡ−Ａ線断面図である。
【図３】本発明の実施形態に係る手荷物用ＲＦＩＤタグを手荷物などに取り付ける際の手順をが示す図である。
【図４】図３（Ｃ）のＢ−Ｂ線断面図である。
【図５】手荷物用ＲＦＩＤタグを手荷物の取っ手に取り付けた状態を示す斜視図である。
【図６】本発明の他の実施形態に係る手荷物用ＲＦＩＤタグの斜視図である。
【図７】本発明の実施形態に係る手荷物用ＲＦＩＤタグにおいて、ＩＣチップが設けられている部分を除き表面保護部材を設けた状態を示す平面図である。
【図８】本発明の実施形態に係る手荷物用ＲＦＩＤタグにおいて、折り曲げ用部分を反対方向に設けた状態を示す平面図である。
【符号の説明】
【００２６】
１  手荷物用ＲＦＩＤタグ
２  基材シート
８ａ，８ｂ，８ｃ，８ｄ  折り曲げ用部分
３  ＩＣチップ
４  アンテナコイル
５  ベースフィルム基材
６  インレット
７  接着剤
８ａ，８ｂ，８ｃ，８ｄ，８ｅ  コ字状のスリット
９ａ，９ｂ，９ｃ，９ｄ，９ｅ  折り畳み用ミシン
１３ａ，１３ｂ  表面保護部材
１４  溝
【図１】
2009070310.tif 000003
【図２】
2009070310.tif 000004
【図３】
2009070310.tif 000005
【図４】
2009070310.tif 000006
【図５】
2009070310.tif 000007
【図６】
2009070310.tif 000008
【図７】
2009070310.tif 000009
【図８】
2009070310.tif 000010